(57)【要約】【課題】遠心圧縮機において、ディフューザとしての機能を損なうことなく低流量時における流体の逆流によるサージングの発生を抑制可能とする。【解決手段】ケーシング１１にインペラ１４を回転可能に支持し、流体を吸入してインペラ１４に導く吸込通路１５と、インペラ１４の回転により昇圧された流体を吐出口１７に導くディフューザ１６とを設けた遠心圧縮機にて、このディフューザ１６の壁面２２ａの裏側に、流体の流動方向に沿う循環通路２１を設け、この循環通路２１の第１開口２７をインペラ１４の流体出口１４ａから所定距離をもってディフューザ１６の壁面に形成し、第２開口２８を吐出口１７側におけるディフューザ１６の壁面に形成する。【選択図】        図１
2005240680.tif 000002
【特許請求の範囲】
【請求項１】
ケーシングの内部にインペラが回転可能に配設され、該ケーシングに流体を吸入して前記インペラに導く吸込通路が設けられると共に、前記インペラの回転により昇圧された流体を吐出口に導くディフューザが設けられた遠心圧縮機において、前記ディフューザの壁面の裏側に流体の流動方向に沿った循環通路が設けられ、該循環通路の一方が前記インペラの流体出口から所定距離をもった前記ディフューザの壁面に開口し、前記循環通路の他方が前記吐出口側における前記ディフューザの壁面に開口することを特徴とする遠心圧縮機。
【請求項２】
請求項１記載の遠心圧縮機において、前記循環通路は、流体が前記吸込通路から前記ディフューザに湾曲して流動する内側の壁面側に設けられたことを特徴とする遠心圧縮機。
【請求項３】
請求項１または２記載の遠心圧縮機において、前記インペラの回転軸心から前記循環通路における一方の開口部までの距離は、該インペラの回転軸心から前記インペラの流体出口までの距離の１．０５倍〜１．２０倍に設定されたことを特徴とする遠心圧縮機。
【請求項４】
請求項１または２記載の遠心圧縮機において、前記循環通路における一方の開口部と他方の開口部との距離は、前記ディフューザの長さの５０％以下に設定されたことを特徴とする遠心圧縮機。
【請求項５】
請求項１または２記載の遠心圧縮機において、前記循環通路の幅は、前記ディフューザの幅の１０％〜２０％に設定されたことを特徴とする遠心圧縮機。
【請求項６】
請求項１から５のいずれか一つ記載の遠心圧縮機において、前記循環通路は、前記インペラの外側に周方向に沿って設けられたことを特徴とする遠心圧縮機。
【請求項７】
請求項１から６のいずれか一つ記載の遠心圧縮機において、前記循環通路は、前記ディフューザの壁面に設けられた凹部に、該ディフューザの壁面と均一な平坦面を有する蓋部材が支持部材により固定されて構成されたことを特徴とする遠心圧縮機。
【請求項８】
請求項７記載の遠心圧縮機において、前記支持部材は、前記循環通路内の流体に対して旋回速度を付与する案内翼であることを特徴とする遠心圧縮機。
【発明の詳細な説明】
【技術分野】
【０００１】
本発明は、流体を昇圧して圧縮流体とする遠心圧縮機に関し、特に、圧縮流体の吐出側に設けられるディフューザに関するものである。
【背景技術】
【０００２】
図６は、従来の遠心圧縮機の断面図、図７は、従来の遠心圧縮機のディフューザで発生するサージング現象を説明するための概略図である。
【０００３】
従来の遠心圧縮機において、図６に示すように、ケーシング１０１には回転軸１０２が回転自在に支持され、この回転軸１０２には複数の羽根１０３を有するインペラ１０４が固定されている。そして、このケーシング１０１には、インペラ１０４の軸方向に沿った吸込通路１０５が形成されると共に、インペラ１０４の外周側に径方向に沿ったディフューザ１０６が形成され、先端部が吐出口１０７となっている。
【０００４】
従って、図示しないモータにより回転軸１０２を回転すると、インペラ１０４が回転し、流体が吸込通路１０５を通して吸い込まれ、このインペラ１０４を流過する過程で昇圧された後、ディフューザ１０６に吐出され、ここで圧縮流体の動圧が静圧に変換されて吐出口１０７に送られる。
【０００５】
ところで、遠心圧縮機は、サージ流量とチョーク流量との範囲で安定した運転を実行することができる。このサージ流量とは、流量を減少していったときにサージ現象が発生する最低流量範囲であり、チョーク流量とは、流量を増加していったときにチョーク現象が発生する最大流量範囲である。しかし、遠心圧縮機では、この安定して運転することのできる流量範囲が狭いため、急加速時などの過渡的な運転変化時に、ディフューザで流体が失速してサージングが発生してしまう。
【０００６】
即ち、図７に示すように、ディフューザ１０６は、シュラウド側の環状円板と１１１とハブ側の環状円板１１２とから構成され、このディフューザ１０６での流体の流速分布Ａは、中央部で高く、シュラウド側及びハブ側の各環状円板と１１１，１１２の壁面近傍で低くなっている。そのため、ディフューザ１０６の流量が減少すると、特に、シュラウド側の環状円板１１１の壁面近傍で逆流Ｂが発生し、時間の経過と共にこの逆流Ｂが周方向に複数発生して旋回失速状態となる。そして、更に流体の流量が減少すると、ディフューザ１０６の吐出口１０７まで逆流領域Ｃが拡大し、サージングが発生する。
【０００７】
そこで、このディフューザでのサージングを防止した技術が、例えば、下記特許文献１に記載されている。この特許文献１に記載された遠心圧縮機は、ディフューザの２つの壁面の少なくとも一方に流路幅の急拡大部を含む凹部を形成し、この凹部の出口部に流体流に対向する流れ分岐用突起を形成したものである。従って、凹部及び流れ分岐用突起の作用により、ディフューザに流入する流体は噴流となって流速分布が一様となり、逆流を抑制して流量範囲の下限であるサージ限界を有効に低下することができる。
【０００８】
【特許文献１】実開昭５７−００５９９８号公報
【発明の開示】
【発明が解決しようとする課題】
【０００９】
上述した従来の遠心圧縮機にあっては、ディフューザでの逆流がインペラのシュラウド側で発生しやすいため、ディフューザにおけるインペラのシュラウド側の壁面に凹部を設け、この凹部によりディフューザに流入する流体を噴流として流速分布を一様とし、逆流を抑制している。ところで、遠心圧縮機のディフューザの機能は、インペラで圧縮された流体の流速を減速することで圧力を上昇させることである。しかし、従来の遠心圧縮機のように、ディフューザにおけるインペラの出口側の壁面に凹部を設けてしまうと、ここでの流路断面積が拡大するため、この凹部が設けられた区間で、凹部が設けられていない場合に昇圧することのできる圧力上昇に対して、流体を十分に昇圧することができず、ディフューザとしての本来の機能が損なわれてしまう。
【００１０】
本発明はこのような問題を解決するものであって、ディフューザとしての機能を損なうことなく低流量時における流体の逆流によるサージングの発生を抑制可能とした遠心圧縮機を提供することを目的とする。
【課題を解決するための手段】
【００１１】
上述の目的を達成するための請求項１の発明の遠心圧縮機は、ケーシングの内部にインペラが回転可能に配設され、該ケーシングに流体を吸入して前記インペラに導く吸込通路が設けられると共に、前記インペラの回転により昇圧された流体を吐出口に導くディフューザが設けられた遠心圧縮機において、前記ディフューザの壁面の裏側に流体の流動方向に沿った循環通路が設けられ、該循環通路の一方が前記インペラの流体出口から所定距離をもった前記ディフューザの壁面に開口し、前記循環通路の他方が前記吐出口側における前記ディフューザの壁面に開口することを特徴とするものである。
【００１２】
請求項２の発明の遠心圧縮機では、前記循環通路は、流体が前記吸込通路から前記ディフューザに湾曲して流動する内側の壁面側に設けられたことを特徴としている。
【００１３】
請求項３の発明の遠心圧縮機では、前記インペラの回転軸心から前記循環通路における一方の開口部までの距離は、該インペラの回転軸心から前記インペラの流体出口までの距離の１．０５倍〜１．２０倍に設定されたことを特徴としている。
【００１４】
請求項４の発明の遠心圧縮機では、前記循環通路における一方の開口部と他方の開口部との距離は、前記ディフューザの長さの５０％以下に設定されたことを特徴としている。
【００１５】
請求項５の発明の遠心圧縮機では、前記循環通路の幅は、前記ディフューザの幅の１０％〜２０％に設定されたことを特徴としている。
【００１６】
請求項６の発明の遠心圧縮機では、前記循環通路は、前記インペラの外側に周方向に沿って設けられたことを特徴としている。
【００１７】
請求項７の発明の遠心圧縮機では、前記循環通路は、前記ディフューザの壁面に設けられた凹部に、該ディフューザの壁面と均一な平坦面を有する蓋部材が支持部材により固定されて構成されたことを特徴としている。
【００１８】
請求項８の発明の遠心圧縮機では、前記支持部材は、前記循環通路内の流体に対して旋回速度を付与する案内翼であることを特徴としている。
【発明の効果】
【００１９】
請求項１の発明の遠心圧縮機によれば、ケーシングの内部にインペラを回転可能に配設し、ケーシングに流体を吸入してインペラに導く吸込通路を設けると共に、インペラの回転により昇圧された流体を吐出口に導くディフューザを設け、このディフューザの壁面の裏側に流体の流動方向に沿った循環通路を設け、この循環通路の一方をインペラの流体出口から所定距離をもったディフューザの壁面に開口し、循環通路の他方を吐出口側におけるディフューザの壁面に開口したので、逆流が生じやすいディフューザの壁面近傍を流れる流体は、他方の開口から循環通路に進入して一方の開口から吐出する循環流となり、ディフューザでの見掛けの流量が増加することで、壁面近傍の流れがスムースなものとなり、流体の逆流の生成を抑制してサージングまでの流量範囲を拡大することができ、その結果、ディフューザとしての機能を損なうことなく低流量時における流体の逆流によるサージングの発生を確実に抑制することができる。
【００２０】
請求項２の発明の遠心圧縮機によれば、循環通路を、流体が吸込通路からディフューザに湾曲して流動する内側の壁面側に設けたので、逆流の発生しやすい範囲でのサージングを確実に抑制することができる。
【００２１】
請求項３の発明の遠心圧縮機によれば、インペラの回転軸心から循環通路における一方の開口部までの距離を、インペラの回転軸心から流体出口までの距離の１．０５倍〜１．２０倍に設定したので、適正な位置に循環通路における一方の開口部を形成したことで、インペラからディフューザに流動する流体の速度分布を幅方向でほぼ均一にすることができる。
【００２２】
請求項４の発明の遠心圧縮機によれば、循環通路における一方の開口部と他方の開口部との距離を、ディフューザの長さの５０％以下に設定したので、ディフューザの適正位置に各開口を形成したことで、初期に発生する流体の逆流を確実に防止することができる。
【００２３】
請求項５の発明の遠心圧縮機によれば、循環通路の幅を、ディフューザの幅の１０％〜２０％に設定したので、ディフューザの壁面に沿って流動する流体を循環通路に取り込んで循環流とし、再びディフューザに適正速度で噴出して戻すことができる。
【００２４】
請求項６の発明の遠心圧縮機によれば、循環通路を、インペラの外側に周方向に沿って設けたので、インペラの外周側でほぼ均一にディフューザでの逆流の発生を防止することができる。
【００２５】
請求項７の発明の遠心圧縮機によれば、循環通路を、ディフューザの壁面に設けた凹部に、ディフューザの壁面と均一な平坦面を有する蓋部材を支持部材により固定して構成したので、循環通路の形成が容易となり、製造精度を向上することができると共に、製造コストを低減することができる。
【００２６】
請求項８の発明の遠心圧縮機によれば、支持部材を、循環通路内の流体に対して旋回速度を付与する案内翼としたので、循環通路からディフューザに戻る流体は案内翼により旋回流となることで、循環通路から噴出する流体とディフューザを流動する流体の速度と旋回角度がほぼ同様となり、乱流の発生を防止してスムースな昇圧を可能とすることができる。
【発明を実施するための最良の形態】
【００２７】
以下に、本発明に係る遠心圧縮機の実施例を図面に基づいて詳細に説明する。なお、この実施例によりこの発明が限定されるものではない。
【実施例１】
【００２８】
図１は、本発明の実施例１に係る遠心圧縮機の要部断面図、図２は、図１のII−II断面図、図３は、実施例１の遠心圧縮機におけるディフューザの概略図である。
【００２９】
本実施例の遠心圧縮機において、図１及び図２に示すように、ケーシング１１は中空形状をなし、ほぼ中央部には回転軸１２が回転自在に支持されており、この回転軸１２には、ボス部１２ａが一体に取付けられ、このボス部１２ａの外周部に複数の羽根１３が均等間隔で取付けられることで、インペラ１４が構成されている。このケーシング１１には、インペラ１４の軸方向に沿った吸込通路１５が形成されており、流体をこの吸込通路１５を介してインペラ１４の前面部に取込可能となっている。また、ケーシング１１には、インペラ１４の外周側に径方向に沿ったディフューザ１６が形成されており、インペラ１４で圧縮した流体をディフューザ１６に吐出可能となっている。そして、ディフューザ１６の外周部には流体を外部に吐出する吐出口１７が形成されている。
【００３０】
従って、図示しないモータにより回転軸１２を回転すると、インペラ１４が回転し、流体が吸込通路１５を通してケーシング１１内吸い込まれる。すると、流体は回転するインペラ１４を流過する過程で昇圧された後、ディフューザ１６に吐出され、このディフューザ１６にて圧縮流体の動圧が静圧に変換され、吐出口１７に送られて外部に吐出される。
【００３１】
本実施例では、このように構成された遠心圧縮機にて、ディフューザ１６の壁面の裏側に、このディフューザ１６に流動する流体の一部を循環させる循環通路２１が設けられている。この循環通路２１は、ディフューザ１６の壁面に沿って流れる流体を取り込んで戻し、インペラ１４の流体出口１４ａ付近に噴出することで、ディフューザ１６を流動する流体の見掛けの流量を増加し、低流量時における流体の逆流の発生を抑制し、サージングを防止するものである。
【００３２】
即ち、ディフューザ１６は、シュラウド側の環状円板２２とハブ側の環状円板２３とから構成されており、流体が吸込通路１５からインペラ１４を通過してディフューザ１６に湾曲して流動する内側の壁面側、つまり、シュラウド側の環状円板２２の壁面２２ａにおけるインペラ１４側に凹部２４が形成されている。この凹部２４はインペラ１４の径方向に沿った全長がＬであり、このインペラ１４の外周側に全周にわたってリング状をなして形成されている。そして、この凹部２４には、支持部材としての複数の支柱２５によりリング形状をする蓋部材２６が固定されている。この支柱２５は円柱形状をなし、凹部２４内に所定間隔で固定されている。蓋部材２６は、凹部２４とほぼ同形状をなし、表面がディフューザ１６の壁面と均一な平坦面を有している。
【００３３】
そのため、ディフューザ１６の壁面に形成された凹部２４に所定隙間をあけて蓋部材２６が位置することで、両者の間に循環通路２１が形成されることとなり、一方の第１開口２７は、インペラ１４の流体出口１４ａから所定距離をもって位置し、他方の第２開口２８は、吐出口１７側に位置している。
【００３４】
この場合、図３に示すように、インペラ１４の回転軸１２の回転中心（回転軸心）から循環通路２１の第１開口２７までの距離Ａ１は、インペラ１４の回転軸１２の中心から流体出口１４ａまでの距離Ａの１．０５倍〜１．２０倍になるように設定されている。また、循環通路２１の第１開口部２７と第２開口部２８との距離Ｂ１は、ディフューザ１６の長さＢの５０％以下になるように設定されている。更に、循環通路２１の幅Ｃ１は、ディフューザ１６の幅Ｃの１０％〜２０％になるように設定されている。
【００３５】
従って、インペラ１４の回転により吸込通路１５から吸入された流体は、ケーシング１１内で昇圧された後にディフューザ１６に流動するとき、特に、流量が比較的少量である場合には、壁面２２ａにおけるインペラ１４側の近傍で逆流が生じやすい。ところが、この壁面２２ａに循環通路２１が形成されているため、ディフューザ１６を流動する流体の一部が蓋部材２６の平面部で逆流を生じつつ第２開口２８からこの循環通路２１に進入し、循環流となって第１開口２７からディフューザ１６に吐出することとなる。そのため、このディフューザ１６におけるインペラ１４の流体出口１４ａの近傍では、流体の見掛けの流量が増加することで、壁面２２ａの近傍の流れがスムースなものとなり、流体の逆流の生成を抑制し、サージングまでの流量範囲を拡大することができる。
【００３６】
このように実施例１の遠心圧縮機にあっては、ケーシング１１の内部にインペラ１４を回転可能に支持し、流体を吸入してインペラ１４に導く吸込通路１５を設けると共に、インペラ１４の回転により昇圧された流体を吐出口１７に導くディフューザ１６を設け、このディフューザ１６の壁面２２ａの裏側に、流体の流動方向に沿って循環通路２１を設け、この循環通路２１の第１開口２７をインペラ１４の流体出口１４ａから所定距離をもってディフューザ１６の壁面に形成し、第２開口２８を吐出口１７側におけるディフューザ１６の壁面に形成している。
【００３７】
従って、逆流が生じやすいディフューザ１６の壁面近傍を流れる流体は、第２開口２８から循環通路２１に進入して第１開口２７から吐出する循環流となり、ディフューザ１６での見掛けの流量が増加することで、壁面２２ａの近傍の流れがスムースなものとなり、流体の逆流の生成を抑制してサージングまでの流量範囲を拡大することができ、その結果、ディフューザ１６としての機能を損なうことなく低流量時における流体の逆流によるサージングの発生を確実に抑制することができる。
【００３８】
また、ディフューザ１６の壁面２２ａに凹部２４を形成し、この凹部２４に複数の支柱２５を介して蓋部材２６を固定することで、両者の間に循環通路２１を形成している。従って、簡単な構成で循環通路２１を容易に形成する人ができ、製造コストの上昇を抑制することができると共に、複数の支柱２５を細く生成することで循環流の邪魔になることはなく、ディフューザ１６での流体の逆流の発生を適正に抑制することができる。
【実施例２】
【００３９】
図４に、本発明の実施例２に係る遠心圧縮機の要部断面図、図５は、図４のＶ−Ｖ断面図である。なお、前述した実施例で説明したものと同様の機能を有する部材には同一の符号を付して重複する説明は省略する。
【００４０】
実施例２の遠心圧縮機において、図４及び図５に示すように、ディフューザ１６の壁面の裏側に、このディフューザ１６に流動する流体の一部を循環させる循環通路３１が設けられている。即ち、ディフューザ１６にて、シュラウド側の環状円板２２の壁面２２ａにおけるインペラ１４側に凹部２４が形成され、この凹部２４には支持部材としての複数の案内翼３２によりリング形状をする蓋部材２６が固定されている。この案内翼３２は第２開口２８から第１開口２７に向かってインペラ１４の回転方向に所定角度傾斜し、且つ、先細形状をなし、凹部２４内に所定間隔で固定されている。そして、この凹部２４に所定隙間をあけて蓋部材２６が位置することで、両者の間に循環通路３１が形成され、第１開口２７はインペラ１４の流体出口１４ａの近傍に位置し、第２開口２８は吐出口１７側に位置する。
【００４１】
従って、インペラ１４の回転により吸込通路１５から吸入された流体は、ケーシング１１内で昇圧された後にディフューザ１６に流動するとき、壁面２２ａの近傍を流動する流体が蓋部材２６の平面部で逆流を生じつつ第２開口２８から循環通路３１に進入し、循環流となって第１開口２７からディフューザ１６に吐出する。そのため、このディフューザ１６におけるインペラ１４の流体出口１４ａの近傍では、流体の見掛けの流量が増加することで、壁面２２ａの近傍の流れがスムースなものとなり、流体の逆流の生成を抑制し、サージングまでの流量範囲を拡大することができる。また、循環通路３１を通る循環流は、各案内翼３２により旋回速度を付与される。そのため、第１開口２７からディフューザ１６に吐出される流体は旋回流となり、インペラ１４の流体出口１４ａからの旋回流との速度差や旋回角度差をなくし、ディフューザ１６でのスムースな流れを確保することができる。
【００４２】
このように実施例２の遠心圧縮機にあっては、ディフューザ１６の壁面２２ａの裏側に凹部２４を形成し、この凹部２４に複数の案内翼３２を介して蓋部材２６を固定することで、流体の流動方向に沿った循環通路３１を設け、この循環通路３１の第１開口２７をインペラ１４の流体出口１４ａから所定距離をもってディフューザ１６の壁面に開口し、第２開口２８を吐出口１７側におけるディフューザ１６の壁面に開口している。
【００４３】
従って、逆流が生じやすいディフューザ１６の壁面近傍を流れる流体は、第２開口２８から循環通路３１に進入して第１開口２７から吐出する循環流となり、ディフューザ１６での見掛けの流量が増加することで、壁面２２ａの近傍の流れがスムースなものとなり、流体の逆流の生成を抑制してサージングまでの流量範囲を拡大することができ、その結果、ディフューザ１６としての機能を損なうことなく低流量時における流体の逆流によるサージングの発生を確実に抑制することができる。
【００４４】
また、第２開口１８から進入した流体は循環通路３１を通るときに各案内翼３２により旋回速度が付与され、第１開口２７から旋回流となってディフューザ１６に吐出されることとなる。そのため、循環通路３１から噴出する流体とディフューザ１６を流動する流体の速度と旋回角度がほぼ同様となり、ディフューザ１６での乱流の発生を防止し、スムースな昇圧を可能とすることができる。
【００４５】
なお、上述した実施例では、十分な作用効果を得るために、循環通路２１，３１を、ディフューザ１６にて、シュラウド側の環状円板２２の壁面２２ａ側で、且つ、インペラ１４側に設けたが、循環通路２１，３１を設ける位置はここに限るものではない。例えば、循環通路を、ディフューザ１６にて、ハブ側の環状円板２３の壁面２３ａ側に設けたり、吐出口１７側に設けてもよいものである。
【００４６】
また、循環通路２１，３１を、インペラ１４の外周側に全周にわたってリンク形状をなして設けたが、周方向に所定間隔をあけて複数形成しても良いものである。更に、この循環通路２１，３１の形成方法も、ディフューザ１６の壁面２２ａに凹部２４を形成し、この凹部２４に支持部材としての支柱２５や案内翼３２を介して蓋部材２６を固定する方法に限るものではなく、例えば、鋳造により一体成型しても良いものである。
【産業上の利用可能性】
【００４７】
本発明に係る遠心圧縮機は、ディフューザの壁面の裏側に循環通路を設けて壁面に沿って流体を取り込んでインペラの流体出口の近傍に吐出することで、逆流の発生によるサージングを抑制するものであり、この遠心圧縮機を適用した船舶用過給機、自動車用過給機、産業用圧縮機、航空用小型ガスタービンに有用である。
【図面の簡単な説明】
【００４８】
【図１】本発明の実施例１に係る遠心圧縮機の要部断面図である。
【図２】図１のII−II断面図である。
【図３】実施例１の遠心圧縮機におけるディフューザの概略図である。
【図４】本発明の実施例２に係る遠心圧縮機の要部断面図である。
【図５】図４のＶ−Ｖ断面図である。
【図６】従来の遠心圧縮機の断面図である。
【図７】従来の遠心圧縮機のディフューザで発生するサージング現象を説明するための概略図である。
【符号の説明】
【００４９】
１１  ケーシング
１２  回転軸
１４  インペラ
１５  吸込通路
１６  ディフューザ
１７  吐出口
２１，３１  循環通路
２４  凹部
２５  支柱(支持部材)
２６  蓋部材
２７  第１開口
２８  第２開口
３２  案内翼（支持部材）
【図１】
2005240680.tif 000003
【図２】
2005240680.tif 000004
【図３】
2005240680.tif 000005
【図４】
2005240680.tif 000006
【図５】
2005240680.tif 000007
【図６】
2005240680.tif 000008
【図７】
2005240680.tif 000009